(57)【要約】【課題】側溝蓋にガタツキが生じ難く、また、ガタツキが生じたとしても側溝蓋が側溝本体から外れ難い側溝を提供する。【解決手段】上部に開口部２１を有する側溝本体２０と、該側溝本体２０に連設されて前記開口部２１を閉蓋する複数の側溝蓋３０とを備える側溝１０であって、前記側溝蓋３０は、隣接する他の側溝蓋３０と対向する端面３２が、上面３３ａから下面３３ｂに向かって略一定角度で傾斜する傾斜面となっており、互いに対向する端面３２が略平行状態となるようにして隣接する二つの側溝蓋３０が配設されてなる。【選択図】　　　　図１
0003098049.tif 000002
【実用新案登録請求の範囲】
【請求項１】
上部に開口部を有する側溝本体と、該側溝本体に連設されて前記開口部を閉蓋する複数の側溝蓋とを備える側溝であって、
前記側溝蓋は、隣接する他の側溝蓋と対向する端面が、上面から下面に向かって略一定角度で傾斜する傾斜面となっており、
互いに対向する端面が略平行状態となるようにして隣接する二つの側溝蓋が配設されてなることを特徴とする側溝。
【請求項２】
個々の側溝蓋の両端面は、互いに略平行となるように同方向に傾斜していることを特徴とする請求項１に記載の側溝。
【請求項３】
個々の側溝蓋の両端面は、互いに略対称となるように異方向に傾斜していることを特徴とする請求項１に記載の側溝。
【請求項４】
両端面が互いに略平行となるように同方向に傾斜する側溝蓋と、両端面が互いに略対称となるように異方向に傾斜する側溝蓋とを組合せて、前記側溝本体の長手方向に複数の側溝蓋を連設してなることを特徴とする請求項１に記載の側溝。
【請求項５】
上部に開口部を有する側溝本体と、該側溝本体に連設されて前記開口部を閉蓋する複数の側溝蓋とを備える側溝であって、
前記側溝蓋は、隣接する他の側溝蓋と対向する端面が、上面から下面に向かって略一定角度で傾斜する傾斜面となっており、
互いに対向する端面が略平行状態となるようにして隣接する二つの側溝蓋が配設されてなり、
加えて、前記側溝本体における前記側溝蓋と接する接面は、曲面により形成され、前記側溝蓋における前記側溝本体と接する接面は、前記側溝本体の接面よりも曲率が大きい曲面により形成されており、
前記側溝蓋は、側溝本体及び側溝蓋の両接面の当接により、下面が接することなく前記側溝本体に載置されることを特徴とする側溝。
【請求項６】
個々の側溝蓋の両端面は、互いに略平行となるように同方向に傾斜していることを特徴とする請求項５に記載の側溝。
【請求項７】
個々の側溝蓋の両端面は、互いに略対称となるように異方向に傾斜していることを特徴とする請求項５に記載の側溝。
【請求項８】
両端面が互いに略平行となるように同方向に傾斜する側溝蓋と、両端面が互いに略対称となるように異方向に傾斜する側溝蓋とを組合せて、前記側溝本体の長手方向に複数の側溝蓋を連設してなることを特徴とする請求項５に記載の側溝。
【請求項９】
上部に開口部を有する側溝本体と、該側溝本体に連設されて前記開口部を閉蓋する複数の側溝蓋とを備える側溝であって、
前記側溝蓋は、隣接する他の側溝蓋と対向する端面が、上面から下面に向かって略一定角度で傾斜する傾斜面となっており、
互いに対向する端面が略平行状態となるようにして隣接する二つの側溝蓋が配設されてなり、
加えて、前記側溝本体における前記側溝蓋と接する接面は、曲面により形成され、前記側溝蓋における前記側溝本体と接する接面は、前記側溝本体の接面の面形状に対して、幾何学的に略相似で縮小された面形状に形成されており、
前記側溝蓋は、側溝本体及び側溝蓋の両接面の当接により、下面が接することなく前記側溝本体に載置されることを特徴とする側溝。
【請求項１０】
個々の側溝蓋の両端面は、互いに略平行となるように同方向に傾斜していることを特徴とする請求項９に記載の側溝。
【請求項１１】
個々の側溝蓋の両端面は、互いに略対称となるように異方向に傾斜していることを特徴とする請求項９に記載の側溝。
【請求項１２】
両端面が互いに略平行となるように同方向に傾斜する側溝蓋と、両端面が互いに略対称となるように異方向に傾斜する側溝蓋とを組合せて、前記側溝本体の長手方向に複数の側溝蓋を連設してなることを特徴とする請求項９に記載の側溝。
【考案の詳細な説明】
【０００１】
【考案の属する技術分野】
本考案は、上部に開口部を有する側溝本体と、該側溝本体に連設されて前記開口部を閉蓋する複数の側溝蓋とを備える側溝に関するものである。
【０００２】
【従来の技術】
車道や歩道等の道路の側縁等に設けられる側溝の中には、上部に開口部を有する側溝本体と、この側溝本体に連設されて側溝本体の開口部を閉蓋する複数の側溝蓋とを備えるものがある。ここで、一般的な側溝では、側溝蓋と接する側溝本体の接面や、側溝本体と接する側溝蓋の接面が平面状に形成されている。また、一般的な側溝では、側溝本体として、コンクリートを型枠に打設して成形したコンクリート製のものが用いられている。一方、側溝蓋としては、側溝本体と同様なコンクリート製のものが用いられているが、その他に、亜鉛めっき鋼板等の金属板を溶接したり、鉄などの金属を鋳造したりして形成した金属製のものも用いられている。
【０００３】
【考案が解決しようとする課題】
しかしながら、上述したような側溝では、側溝本体に側溝蓋を載置した状態において、側溝本体と側溝蓋とを、互いの接面全体に渡って均一に接触させることが困難である。これは、コンクリート製の側溝本体や側溝蓋では、良好な平滑面を形成し難く、また、打設したコンクリートの養生後に歪みを生じ易く、十分な平面精度を確保することができないからである。また、側溝蓋を金属製としても、そもそも、側溝本体側の平面精度が確保できていなければ、側溝本体と側溝蓋とを接面全体に渡って均一に接触させることができないことは無論のこと、溶接や鋳造にて形成した後に歪みを生じ易く、側溝蓋自体の十分な平面精度を確保することができない。
【０００４】
このように、側溝本体と側溝蓋とを、互いの接面全体に渡って均一に接触させることができないと、側溝本体に載置した側溝蓋にガタツキを生じてしまう。そして、側溝蓋にガタツキが生じていると、側溝蓋の上を車両や歩行者が通過する際に騒音を発するといった問題を生じる。また、場合によっては、側溝本体から側溝蓋が外れてしまうこともある。特に、車道に設けられた側溝では、側溝蓋の上を車両が高速で通過すると、側溝蓋に大きな衝撃荷重が加わるため、ガタツキが僅かであっても、側溝蓋が大きく跳ね上がられて側溝本体から外れてしまう虞がある。このように、側溝蓋が外れた状態では、側溝蓋が道路上に突出したり、側溝本体の開口部が露呈したままとなるので、非常に危険である。
【０００５】
本考案は上記実状を鑑みてなされたものであり、側溝蓋にガタツキが生じ難く、また、ガタツキが生じたとしても側溝蓋が側溝本体から外れ難い側溝の提供を課題とする。
【０００６】
【課題を解決するための手段】
以上の課題を解決するために本考案の採った手段は、以下の通りである。
【０００７】
請求項１の考案は、
「上部に開口部を有する側溝本体と、該側溝本体に連設されて前記開口部を閉蓋する複数の側溝蓋とを備える側溝であって、
前記側溝蓋は、隣接する他の側溝蓋と対向する端面が、上面から下面に向かって略一定角度で傾斜する傾斜面となっており、
互いに対向する端面が略平行状態となるようにして隣接する二つの側溝蓋が配設されてなることを特徴とする側溝」
である。
【０００８】
また、請求項２の考案は、
「個々の側溝蓋の両端面は、互いに略平行となるように同方向に傾斜していることを特徴とする請求項１に記載の側溝」
である。
【０００９】
また、請求項３の考案は、
「個々の側溝蓋の両端面は、互いに略対称となるように異方向に傾斜していることを特徴とする請求項１に記載の側溝」
である。
【００１０】
さらに、請求項４の考案は、
「両端面が互いに略平行となるように同方向に傾斜する側溝蓋と、両端面が互いに略対称となるように異方向に傾斜する側溝蓋とを組合せて、前記側溝本体の長手方向に複数の側溝蓋を連設してなることを特徴とする請求項１に記載の側溝」である。
【００１１】
本考案においては、隣接する他の側溝蓋に対向する側溝蓋の端面が、上面から下面に向かって略一定角度で傾斜する傾斜面、すなわち上下方向に傾斜する傾斜面となっている。そして、連設される個々の側溝蓋は、傾斜面により構成された端面が隣接する他の側溝蓋の端面と略平行状態となるようにして配設される。よって、複数が連設された状態となった個々の側溝蓋の端部は、隣接する他の側溝蓋の端面の下に潜り込んだ状態、或は、隣接する他の側溝蓋の端面の上に張り出した状態となる。
【００１２】
ところで、ガタツキのある側溝蓋において、前端側または後端側の一端側の上面に荷重が加わると、他端側が側溝本体から浮き上がろうとするのであるが、この浮き上がろうとする側の端部が、隣接する他の側溝蓋の端面の下に潜り込んだ状態となっていれば、他の側溝蓋の端面によって浮き上がりが規制される。よって、側溝蓋にガタツキが生じ難くなる。一方、浮き上がろうとする側の端部が、隣接する他の側溝蓋の端面の上に張り出した状態となっていれば、隣接する他の側溝蓋の上面に乗り上げない限り、浮き上がった端部は、隣接する他の側溝蓋の端面上を滑り落ちて、元の状態に戻る。よって、側溝蓋は、その端部がたとえ浮き上がったとしても、側溝本体から外れ難くなる。
【００１３】
このように、本考案では、側溝蓋の一端側に荷重が加わった際における他端側の浮き上がりが規制されたり、たとえ浮き上がったとしても元の状態に戻されるため、側溝蓋のガタツキを生じ難くしたり、側溝蓋を側溝本体から外れ難くすることができる。
【００１４】
なお、本考案において、側溝蓋の端面の上下方向の傾斜角度は、「５°」、「１０°」、「１５°」、「３０°」等、上下方向に渡って略一定の角度となるように、適宜設定すればよい。
【００１５】
ところで、本考案における請求項２から請求項４までの考案では、上述に加えて、以下のような作用・効果を得ることができる。
【００１６】
まず、請求項２の考案では、個々の側溝蓋の両端面が互いに略平行な面であるため、側溝本体の長手方向に複数の側溝蓋を連設する場合に、同形状の複数の側溝蓋を同姿勢で配設すれば、各側溝蓋の端面同士が略平行状態となるように、好適に連設することができる。
【００１７】
次に、請求項３の考案では、側溝蓋の両端面が互いに略対称な面であるため、側溝本体の長手方向に複数の側溝蓋を連設する場合に、同形状の複数の側溝蓋を上下に交互に反転させて異姿勢で配設すれば、各側溝蓋の端面同士が略平行状態となるように、好適に連設することができる。
【００１８】
最後に、請求項４の考案では、両端面が互いに略平行な面の側溝蓋と互いに略対称な面の側溝蓋とを組合せるため、異なる形状の複数の側溝蓋を適宜組み合わせて配設すれば、各側溝蓋の端面同士が略平行状態となるように、好適に連設することができる。また、異なる形状の複数の側溝蓋を組合せるため、連設された適宜の側溝蓋について、両端部を双方とも他の側溝蓋の端面に潜り込んだ状態として、両端が共に浮き上がり難い側溝蓋としたり、逆に、両端部を双方とも他の側溝蓋の端面に張り出した状態として、たとえ浮き上がったとしても両端が共に元に戻り易い側溝蓋とすることができる。よって、長尺状の側溝の要所に、所望の機能を果たす側溝蓋を適宜配置することができる。
【００１９】
請求項５の考案は、
「上部に開口部を有する側溝本体と、該側溝本体に連設されて前記開口部を閉蓋する複数の側溝蓋とを備える側溝であって、
前記側溝蓋は、隣接する他の側溝蓋と対向する端面が、上面から下面に向かって略一定角度で傾斜する傾斜面となっており、
互いに対向する端面が略平行状態となるようにして隣接する二つの側溝蓋が配設されてなり、
加えて、前記側溝本体における前記側溝蓋と接する接面は、曲面により形成され、前記側溝蓋における前記側溝本体と接する接面は、前記側溝本体の接面よりも曲率が大きい曲面により形成されており、
前記側溝蓋は、側溝本体及び側溝蓋の両接面の当接により、下面が接することなく前記側溝本体に載置されることを特徴とする側溝」
である。
【００２０】
また、請求項６の考案は、
「個々の側溝蓋の両端面は、互いに略平行となるように同方向に傾斜していることを特徴とする請求項５に記載の側溝」
である。
【００２１】
また、請求項７の考案は、
「個々の側溝蓋の両端面は、互いに略対称となるように異方向に傾斜していることを特徴とする請求項５に記載の側溝」
である。
【００２２】
さらに、請求項８の考案は、
「両端面が互いに略平行となるように同方向に傾斜する側溝蓋と、両端面が互いに略対称となるように異方向に傾斜する側溝蓋とを組合せて、前記側溝本体の長手方向に複数の側溝蓋を連設してなることを特徴とする請求項５に記載の側溝」である。
【００２３】
ここで、曲率とは、直線に対して曲線が曲がる度合いであり、例えば、半径が一律の円弧では、半径が小さい円弧程、曲率が大きな曲線となる。
【００２４】
請求項５から請求項８までの第２の考案は、上述した第１の考案に加えて、以下のような作用・効果を得ることができる。
【００２５】
側溝本体と側溝蓋とが互いに接する接面は、側溝蓋側が曲率の大きな曲面により形成されているため、側溝蓋は、側溝本体の平面に面接触する状態ではなく、曲面に線接触する状態で側溝本体に載置されることになる。よって、側溝本体や側溝蓋に多少の歪みが生じていたとしても、側溝本体の長さ方向全体に渡って、側溝蓋を均一に接触させて安定させることができ、側溝蓋に生じるそもそものガタツキを少なくすることができる。このため、端面を傾斜面により形成したことによる側溝蓋のガタツキを抑制する機能、及び、側溝本体から側溝蓋が外れることを抑制する機能を、より効果的に、発揮させることができる。
【００２６】
また、側溝蓋は、その下面が側溝本体に接触しないように側溝本体に載置されるため、側溝本体における側溝蓋を載置する面、すなわち載置面は、蓋収容部の底面ではなく、蓋収容部の側壁の一部により構成されることになる。よって、側溝本体の載置面には、砂利やゴミ等が溜まり難く、側溝本体と側溝蓋との接触部分に砂利やゴミ等が噛むことにより生じる側溝蓋のガタツキも抑制することができる。
【００２７】
さらに、側溝蓋においては、下面ではなく、側面の一部が側溝本体に接触することになるため、側溝蓋の上面に加わる垂直方向の荷重、すなわち垂直荷重は、側溝本体と側溝蓋との接面を介して、接面の法線方向と接線方向とに分散される。よって、側溝蓋の上面に、垂直方向に大きな衝撃荷重が加わったとしても、この側溝蓋から側溝本体に伝達される応力は、分散された小さな応力となる。このため、側溝本体から受ける側溝蓋の反作用的な垂直方向の抗力も、小さくなり、側溝蓋は、垂直方向に大きな衝撃荷重が加わっても、側溝本体から大きく跳ね上げられず、外れ難くなる。
【００２８】
請求項９の考案は、
「上部に開口部を有する側溝本体と、該側溝本体に連設されて前記開口部を閉蓋する複数の側溝蓋とを備える側溝であって、
前記側溝蓋は、隣接する他の側溝蓋と対向する端面が、上面から下面に向かって略一定角度で傾斜する傾斜面となっており、
互いに対向する端面が略平行状態となるようにして隣接する二つの側溝蓋が配設されてなり、
加えて、前記側溝本体における前記側溝蓋と接する接面は、曲面により形成され、前記側溝蓋における前記側溝本体と接する接面は、前記側溝本体の接面の面形状に対して、幾何学的に略相似で縮小された面形状に形成されており、
前記側溝蓋は、側溝本体及び側溝蓋の両接面の当接により、下面が接することなく前記側溝本体に載置されることを特徴とする側溝」
である。
【００２９】
また、請求項１０の考案は、
「個々の側溝蓋の両端面は、互いに略平行となるように同方向に傾斜していることを特徴とする請求項９に記載の側溝」
である。
【００３０】
また、請求項１１の考案は、
「個々の側溝蓋の両端面は、互いに略対称となるように異方向に傾斜していることを特徴とする請求項９に記載の側溝」
である。
【００３１】
さらに、請求項１２の考案は、
「両端面が互いに略平行となるように同方向に傾斜する側溝蓋と、両端面が互いに略対称となるように異方向に傾斜する側溝蓋とを組合せて、前記側溝本体の長手方向に複数の側溝蓋を連設してなることを特徴とする請求項９に記載の側溝」である。
【００３２】
請求項９から請求項１２の第３の考案は、上述した第１の考案及び第２の考案に加えて、以下のような作用・効果を得ることができる。
【００３３】
本考案では、側溝本体と側溝蓋との互いに接する接面が曲面により構成されているのであるが、特に、側溝蓋側の接面が、側溝本体側の接面に対して幾何学的に略相似で縮小された面形状となっている。このため、側溝本体側の面及び側溝蓋側の面における線接触する接触部分の近傍では、側溝本体側の面形状と側溝蓋側の面形状との相互の差異が小さくなる。よって、側溝本体側の接面や側溝蓋側の接面に僅かな歪みが生じており、側溝本体と側溝蓋とが設計上通りに接触しないとしても、設計上の接触部分の近傍における大きな差異のない側溝本体側と側溝蓋側との面形状によって上記歪みが吸収されて、側溝本体側と側溝蓋側とが均一に線接触し易くなる。従って、側溝蓋に生じるそもそものガタツキを少なくすることができる。
【００３４】
また、側溝本体に側溝蓋を載置した状態では、側溝本体と側溝蓋との互いに対向する面の間隙が小さくなるため、この間隙から砂利やゴミが侵入し難くなる。よって、側溝本体と側溝蓋との間に砂利やゴミ等が噛むことによって側溝蓋にガタツキが生じることを防止することができる。
【００３５】
【考案の実施の形態】
次に、本考案に係る側溝の実施形態としての一例を、図面に従って詳細に説明する。
【００３６】
図１に示すように、本考案に係る側溝１０は、コンクリートを型枠に打設して成形されたコンクリート製の側溝本体２０と、同様にコンクリートにより成形されたコンクリート製の側溝蓋３０とを備える。なお、本考案では、側溝本体２０及び側溝蓋３０を、コンクリートにより成形するに限らず、金属、樹脂、セラミック等、適宜の材料により成形してもよい。
【００３７】
側溝本体２０は、上方が開放された略Ｕ字状に形成され、上部に開口部２１を備えた所謂「Ｕ字側溝ブロック」により構成されている。そして、上部の開口部２１には、側溝蓋３０を収納状態で載置する蓋収容部２２が設けられている。ここで、蓋収容部２２は、側溝蓋３０の側面に沿った側壁２３を有する構造となっており、載置された側溝蓋３０を、側壁２３の内側に収容する。
【００３８】
次に、側溝蓋３０の詳細を説明する。なお、説明の便宜上、側溝１０の長さ方向を前後方向とし、幅方向を左右方向として、側溝蓋３０の前後の面を端面３２、側溝蓋３０の左右の面を側面３１と称して説明する。
【００３９】
側溝蓋３０の左右両側面３１は、側溝１０の長さ方向に沿った互いに平行な面により構成されているのであるが、前後両端面３２は、一側面３１から他側面３１に向かって、例えば１０°等、略一定の角度で傾斜する傾斜面により構成されている。また、前後両端面３２は、互いに平行となるように、一側面３１から他側面３１に向かって同方向、すなわち同角度で傾斜する面となっている。そして、本例の側溝１０では、同形状の側溝蓋３０が、複数、側溝本体２０の蓋収容部２２に収容した状態で連設されている。
【００４０】
このような側溝１０では、側溝蓋３０にガタツキが生じている場合、図２に示すように、側溝蓋３０の一端側に荷重が加わると（図示Ａ点）、他端側が浮き上がろうとするのあるが（図示矢印Ｃ）、この時、側溝蓋３０の他端側は、側溝蓋３０の一端側の左右両角部を結ぶ線を回動軸線（図示１点鎖線Ｂ）として、上方に回動しようとする。ここで、側溝蓋３０の一端側は、上述の通り傾斜面により構成されているため、上記回動軸線は、側溝１０の幅方向に対して傾斜する。よって、側溝蓋３０の他端側は、側溝１０の長さ方向に対して斜め方向に回動しようとする。しかしながら、側溝蓋３０は、側溝本体２０の蓋収容部２２に収容されているため、上述のように回動しようとしても、その側面３１が蓋収容部２２の側壁２３に接触し、回動が阻止される。よって、側溝蓋３０は、その一端側に荷重が加わっても、他端側が回動せず、ガタツキが生じない。また、多少のガタツキが生じたとしても、側溝蓋３０の他端側が上方に回動すればする程、側溝蓋３０の側面３１が蓋収容部２２の側壁２３に強く接触することになるため、側溝蓋３０は、蓋収容部２２から外れる程、大きく跳ね上げられることがない。
【００４１】
なお、上記例では、連設される複数の側溝蓋３０として、前後両端面３２が互いに平行となるように左右に同方向に傾斜するものを採用した例を示したが、これに限らず、例えば図３（ａ）に示すように、前後両端面３２が互いに対象となるように左右に異方向に傾斜する側溝蓋３０を、交互に反転させて連設してもよい。また、例えば図３（ｂ）に示すように、前後両端面３２が互いに平行となるように左右に同方向に傾斜する側溝蓋３０と、前後両端面３２が互いに対象となるように左右に異方向に傾斜する側溝蓋３０とを適宜組合せてもよい。
【００４２】
一方、本例の側溝蓋３０では、図１に示すように、上述の構成に加えて、前後両端面３２が、上面３３ａから下面３３ｂに向かって、例えば１０°等、略一定の角度で傾斜する傾斜面により構成されている。また、前後両端面３２は、互いに平行となるように、上面３３ａからから下面３３ｂに向かって同方向、すなわち同角度で傾斜する面となっている。そして、本例の側溝１０では、同形状の側溝蓋３０が、複数、側溝本体２０の蓋収容部２２に収容した状態で連設されている。
【００４３】
このような側溝１０では、側溝蓋３０にガタツキが生じている場合、図４に示すように、側溝蓋３０の一端側に荷重が加わると（図示矢印Ａ）、他端側が浮き上がろうとするのあるが（図示矢印Ｂ）、この時、他端側の端面３２は、隣接する他の側溝蓋３０の端面３２に潜り込んだ状態であるため、隣接する他の側溝蓋３０の端面３２によって浮き上がりが阻止される。よって、側溝蓋３０は、その一端側に荷重が加わっても、他端側が浮き上がらず、ガタツキが生じない。
【００４４】
一方、側溝蓋３０の他端側に荷重が加わると（図示矢印Ｃ）、一端側が浮き上がろうとし（図示矢印Ｄ）、この浮き上がりを阻止することはできないのであるが、一端側が大きく浮き上がって他の側溝蓋３０の上面に乗り上げない限り、浮き上がった一端側は、他の側溝蓋３０の傾斜する端面３２上を滑り落ちて、元の状態に戻る。よって、側溝蓋３０は、たとえ一端側が浮き上がったとしても、側溝本体２０から外れ難い。
【００４５】
なお、上記例では、連設される複数の側溝蓋３０として、前後両端面３２が互いに平行となるように上下に同方向に傾斜するものを採用した例を示したが、これに限らず、例えば図５（ａ）に示すように、前後両端面３２が互いに対象となるように上下に異方向に傾斜する側溝蓋３０を、交互に反転させて連設してもよい。また、例えば図５（ｂ）に示すように、前後両端面３２が互いに平行となるように上下に同方向に傾斜する側溝蓋３０と、前後両端面３２が互いに対象となるように上下に異方向に傾斜する側溝蓋３０とを適宜組合せてもよい。
【００４６】
ところで、図６に示すように、本例の側溝１０では、側溝本体２０の蓋収容部２２における側溝蓋３０と接する接面が曲面により構成されている。そして、側溝蓋３０における側溝本体２０と接する接面は、側溝本体２０の接面よりも曲率の大きな曲面により構成されている。よって、側溝本体２０と側溝蓋３０とは、均一に線接触し（図示１点鎖線Ａ）、側溝３０のガタツキがそもそも生じ難い。
【００４７】
また、図示では、側溝本体２０側の接面と側溝蓋３０側の接面との曲率の差が明確となるように誇張してあるため、側溝本体２０と側溝蓋３０との対向する面が略相似な形状となってはいないが、実際には、側溝本体２０と側溝蓋３０との対向する面全体を、側溝蓋３０側が縮小された幾何学的に略相似な面形状とする。これにより、側溝本体２０と側溝蓋３０とが接触する部分近傍における側溝本体２０側の面形状と側溝蓋３０側の面形状の差異を少なくすることができ、側溝本体２０側または側溝蓋３０側の接面に歪みが生じていたとしても、この歪みが僅かであれば、側溝本体２０と側溝蓋３０との設計上の接触部分における近傍の曲面によって、上記歪みが吸収され、側溝本体２０と側溝蓋３０とが良好に線接触する。また、側溝本体２０と側溝蓋３０との対向する面の間隙は、全体に渡って狭くなるため、この間隙から砂利やゴミが侵入し難くなり、砂利やゴミが噛むことによって側溝蓋３０にガタツキが生じることを防止することができる。
【００４８】
本考案に係る側溝は、以上の例に限らず、本考案の要旨を逸脱しない範囲で、適宜変更してもよい。例えば図７には、本考案に係る側溝１０の別の例を示す。この例では、側溝本体２０が、所謂「Ｕ字側溝ブロック」により構成されていることは前述の例と同様であるが、上部の開口部２１に蓋収容部２２を有さず、側溝蓋３０を収容状態で載置する点で相違する。
【００４９】
このような側溝１０においても、連設された側溝蓋３０の前後両端面３２が上下方向に傾斜する傾斜面により構成されているため、個々の側溝蓋３０の一端側に荷重が加わり、他端側が浮き上がろうとしても、隣接する他の側溝蓋３０の端面３２により浮き上がりが防止されたり、たとえ浮き上がったとしても、隣接する他の側溝蓋３０の端面３２上を滑り落ちて元に戻る。よって、このような側溝１０であっても、側溝蓋３０を、ガタツキ難くしたり、側溝本体２０から外れ難くすることができる。
【００５０】
また、本考案では、側溝本体を、上述の各例のように所謂「Ｕ字側溝ブロック」により構成するに限らず、図示は省略するが、下方が開放された逆Ｕ字状に形成され、上部に天板を備えた所謂「可変側溝ブロック」により構成してもよい。この場合、天板の一部に、複数の側溝蓋を連設して載置する開口部を設ければよい。そして、この開口部に、上述の例のような蓋収容部を設けてもよい。
【００５１】
【考案の効果】
以上詳細に説明したように、まず、請求項１から請求項４までの第１の考案によれば、側溝蓋の一端側に荷重が加わって他端側が浮き上がろうとしても、この他端側が他の側溝蓋の端面の下に潜り込んだ状態であれば、他の側溝蓋の端面によって浮き上がりを防止することができるため、側溝蓋にガタツキが生じ難い側溝とすることができる。一方、浮き上がろうとする側溝蓋の他端側が他の側溝蓋の端面の上に張り出した状態であれば、他の側溝蓋の端面によって浮き上がった側溝蓋の他端側を元に戻すことができるため、側溝本体から側溝蓋が外れ難い側溝とすることができる。
【００５２】
次に、請求項５から請求項８までの第２の考案によれば、第１の考案に加えて、側溝蓋を側溝本体に、均一に線接触させることができることから、側溝蓋に生じるそもそものガタツキを少なくすることができ、側溝蓋の端面形状による側溝蓋のガタツキを抑制する機能や側溝本体から側溝蓋が外れることを抑制する機能を、より効果的に発揮させることができる。
【００５３】
次に、請求項９から請求項１２までの第３の考案によれば、第１の考案及び第２の考案に加えて、側溝や側溝蓋に歪みが生じていたとしても、側溝本体と側溝蓋とを均一に線接触し易くすることができることから、側溝蓋に生じるそもそものガタツキを、より一層、少なくすることができ、側溝蓋の端面形状による側溝蓋のガタツキを抑制する機能や側溝本体から側溝蓋が外れることを抑制する機能を、より一層、効果的に発揮させることができる。
【図面の簡単な説明】
【図１】本考案に係る側溝の一例を示す斜視図である。
【図２】側溝本体に側溝蓋を連設した状態を示す平面図である。
【図３】（ａ）及び（ｂ）は、夫々、側溝本体に側溝蓋を連設した状態の別例を示す平面図である。
【図４】側溝蓋を連設した状態を示す縦断面図である。
【図５】（ａ）及び（ｂ）は、夫々、側溝蓋を連設した状態の別例を示す縦断面図である。
【図６】蓋収容部の詳細を示す部分拡大斜視図である。
【図７】本考案に係る側溝の別例を示す斜視図である。
【符号の説明】
１０　　側溝
２０　　側溝本体
２１　　開口部
２２　　蓋収容部
２３　　側壁
３０　　側溝蓋
３１　　側面
３２　　端面
３３ａ　上面
３３ｂ　下面
【図１】
0003098049.tif 000003
【図２】
0003098049.tif 000004
【図３】
0003098049.tif 000005
【図４】
0003098049.tif 000006
【図５】
0003098049.tif 000007
【図６】
0003098049.tif 000008
【図７】
0003098049.tif 000009